(57)【要約】【課題】床付き布枠の両端の隙間を少なくできるとともに、床付き布枠に隣接して階段部材を組み入れるときに階段をどの場所にも組み込むことが可能な床付き布枠及びこの床付き布枠を組み込んでなる枠組足場を提供する。【解決手段】水平方向に平行に配設された２枚の長尺の主材と、その両端部に取り付けられる２枚の梁材と、その両端部の四隅に固定される４個の掴み金具からなる床付き布枠であって、上側フランジと下側フランジとウェブから形成される梁材の幅方向の外側に、梁材と平行に突出部材を接合するとともに、突出部材の幅方向の外側の中央部に切欠き部又は凹部を設けてなることを特徴とする床付き布枠とこの床付き布枠を組み込んでなる枠組足場。【選択図】図１４
2008231804.tif 000002
【特許請求の範囲】
【請求項１】
水平方向に平行に配設された２枚の長尺の主材と、その両端部に取り付けられる２枚の梁材と、その両端部の四隅に固定される４個の掴み金具からなる床付き布枠であって、上側フランジと下側フランジとウェブから形成される梁材の幅方向の外側の中央部に切欠き部又は凹部を設けてなることを特徴とする床付き布枠。
【請求項２】
梁材は、水平面の上側フランジと下側フランジと垂直面のウェブから形成されかつその断面がコの字形状であることを特徴とする、請求項１に記載の床付き布枠。
【請求項３】
梁材の断面は、水平面の上側フランジを梁材の幅方向の外側に延長する形で突出させることによって形成される倒立ｈ形状であることを特徴とする、請求項１に記載の床付き布枠。
【請求項４】
梁材の断面は、水平面の上側フランジを梁材の幅方向の外側に延長しかつ垂直面のウェブの全部又は一部を外側に傾斜させることによって形成される倒立台形状又は変形台形状であることを特徴とする、請求項１に記載の床付き布枠。
【請求項５】
水平方向に平行に配設された２枚の長尺の主材と、その両端部に取り付けられる２枚の梁材と、その両端部の四隅に固定される４個の掴み金具からなる床付き布枠であって、上側フランジと下側フランジとウェブから形成される梁材の幅方向の外側に、梁材と平行に突出部材を接合するとともに、突出部材の幅方向の外側の中央部に切欠き部又は凹部を設けてなることを特徴とする床付き布枠。
【請求項６】
突出部材は平板であることを特徴とする、請求項５に記載の床付き布枠。
【請求項７】
突出部材は、断面が倒立Ｌ型形状であることを特徴とする、請求項５に記載の床付き布枠。
【請求項８】
突出部材は、断面が倒立山形又は三角形状であることを特徴とする、請求項５に記載の床付き布枠。
【請求項９】
長尺の主材の中央部の下側に桟木が設けられていることを特徴とする、請求項１から８までのいずれかに記載の床付き布枠。
【請求項１０】
請求項１から９までのいずれかに記載の床付き布枠が組み込まれていることを特徴とする枠組足場。
【請求項１１】
請求項１から９までのいずれかに記載の床付き布枠の２枚以上が水平方向に平行に架設されていることを特徴とする枠組足場。
【請求項１２】
１枚の長尺の主材と、その両端部に取り付けられる２枚の梁材と、その両端部の四隅に固定される４個の掴み金具からなる床付き布枠の１枚以上と、請求項１から９までのいずれかに記載の床付き布枠の１枚以上とが、水平方向に平行に架設されていることを特徴とする枠組足場。
【請求項１３】
請求項１０から１２までのいずれかに記載の枠組足場であって、階段部材が組み込まれていることを特徴とする枠組足場。
【発明の詳細な説明】
【技術分野】
【０００１】
本発明は、建築現場等で枠組足場の作業床及び通路として使用される床付き布枠並びにこの床付き布枠を組み込んでなる枠組足場に関する。
【背景技術】
【０００２】
建築現場等で用いられる枠組足場には、例えば、建枠に筋違（すじかい）や手摺枠を取り付けてなる「建枠式足場」と、支柱部材やブレース材（斜材ともいう。）や手摺部材等の足場構成部材を緊結して組み立ててなる「緊結式足場」がある。
【０００３】
「建枠式足場」は、次のようにして組み立てられる。すなわち、横桟と縦柱から構成され、Ｈ形状や鳥居形状を有する建枠の複数個を、所定の間隔で建物等の構造物とは直角に立設し、建枠の縦柱に筋違や手摺枠を取り付け固定して複数個の建枠を自立させた後、さらに建枠の横桟の上に床付き布枠（布板ともいう。）を１枚又は２枚以上架け渡すことで、１単位の足場を形成する。次に、既に立設した建枠の上に、別途用意された建枠を立設し、同様にして筋違や手摺枠を隣接する建枠の間に取り付け固定した後、新たに立設した建枠の横桟の上に床付き布枠を１枚又は２枚以上架け渡すことによって一つ上の段の足場を形成する。これを順次繰り返すことによって、全体の枠組み足場を形成する。
【０００４】
この建枠として、Ｈ形状の建枠（以下、「Ｈ枠」という。）を用いて建枠式の枠組足場を形成する一例を図１に示す。(a)が正面図、(b)が右側面図である。
【０００５】
３個のＨ枠１を建物２２とは直角に等間隔に並べ、隣接するＨ枠の間に、建物側に筋違１３をロック金具６ａに取り付け、そして建物とは反対側に手摺枠１０をロック金具６ｂに取り付けて、１段目のＨ枠１を自立させる。さらに、建物側の筋違１３をロック金具７ａに取り付け、そして、建物とは反対側に手摺枠１０をロック金具７ｂに取り付けて固定する。その後、１段目のＨ枠１の隣接する横桟３の間に床付き布枠１１を架け渡して、１段目の足場を形成する。
【０００６】
次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物側に筋違１３をロック金具６ａと７ａに取り付け、そして、建物とは反対側に手摺枠１０をロック金具６ｂと７ｂに取り付けて固定し、その後、２段目のＨ枠１の横桟３に床付き布枠１１を架け渡して、２段目の足場を形成する。
【０００７】
３段目の足場も、２段目の足場と同じ手順で組み立てる。すなわち、建物側に筋違１３を、そして、建物とは反対側に手摺枠１０を固定し、その後、３段目のＨ枠１の横桟３に床付き布枠１１を架け渡して、３段目の足場を形成する。
【０００８】
一方、「緊結式足場」は、「コマ」と呼ばれる取付部材が複数個設けられた支柱部材に、手摺部材、ブレース材、腕木部材等の足場構成部材をコマを介して取り付け、そして、コマにおいて楔等によってこれらの足場構成部材を緊結した後、床付き布枠を１枚又は２枚以上架け渡すことによって、組み立てられる。
【０００９】
図２に、緊結式足場の構造の一例を示す。(a)は緊結式足場の正面図、(b)は(a)において円で示されたコマの周辺の拡大図、そして、(c)は緊結式足場の右側面図である。
【００１０】
緊結式足場は、支柱１４が建物側とその反対側に各３本が立設されている。各々の支柱１４は、複数のコマ２０を有する支柱部材１６を縦に継ぎ足すことによって形成されている。建物側の隣接する支柱１４の間には、コマ２０を介してブレース材１９が取り付けられ、また、建物とは反対側の隣接する支柱１４の間には、コマ２０を介して作業用手摺１５が取り付けられ、コマ２０において楔等で緊結される。さらに、建物側の支柱１４と建物とは反対側の支柱１４の間には、コマ２０を介して腕木材２１が取り付けられ、コマ２０において楔等で緊結され、そして、隣接する腕木材２１の間に、床付き布枠１１を架け渡すことで、１段目の足場が形成される。なお、ブレース材１９は建物とは反対側の支柱１４の間に取り付ける場合もある。
【００１１】
２段目の足場は、１段目の足場と同様にして形成される。必要に応じて、１段目の足場の支柱１４の上端に別途用意した支柱１４を縦方向に継ぎ足した上で、ブレース材１９、手摺部材１５、腕木部材２１をコマ２０を介して取り付け緊結した後、床付き布枠１１を架け渡すことによって、形成される。これを順次繰り返すことによって、複数段の緊結式足場が形成される。
【００１２】
このように、床付き布枠は、建枠式枠組足場と緊結式枠組足場とを問わず、すべての枠組足場に組み込まれており、作業床及び通路として用いられている。
【００１３】
床付き布枠は、長尺の主材の１本又は２本以上と、主材の長手方向の両端に取り付けられる掴み金具と断面コの字形の梁材から構成されている。主材は水平面の床材部とその両側面を折り曲げてなる布材部とからなる。長尺の主材の両端部に断面コの字形の梁材が取り付けられ、そして、長尺の主材の両端部の四隅に掴み金具がリベット等で固定されて取り付けられる。なお、床付き布枠上を歩行する際に作業員が滑るのを防止するために、床材部の上面にはエンボス加工が施されることがある。また、床材部が幅方向に撓るのを防止するため、床材部の中央部の下側に桟木が設けられることがある。
【００１４】
上述のとおり、１枚の床付き布枠に組み込まれる主材は、１枚だけでなく、２枚の場合もあるが、１枚の床付き布枠に組み込まれる主材が１枚の場合と２枚の場合では、次のとおり、断面コの字形の梁材および掴み金具の取り付け方が異なる。
【００１５】
１枚の床付き布枠に組み込まれる主材が１枚の場合には、断面コの字形の梁材は１枚の長尺の主材の両端部それぞれ１個嵌合されて取り付けられ、そして、掴み金具は１枚の長尺の主材の両端部の四隅にリベット等で固定されて取り付けられる。
【００１６】
これに対して、１枚の床付き布枠に組み込まれる主材が２枚の場合には、２枚の主材を水平方向に平行に配設した後の２枚を合わせた長尺の主材の両端部それぞれ１個嵌合されて取り付けられる。そして、掴み金具は、２本の主材を水平方向に平行に配設した後の２枚を合わせた長尺の主材の両端部の四隅にリベット等で固定されて取り付けられる。
【００１７】
すなわち、梁材の個数は、１枚の床付き布枠に組み込まれる主材が１枚の場合も２枚の場合も、１枚の床付き布枠には合計２個が取り付けられることになる。また、掴み金具の個数は、１枚の床付き布枠に組み込まれる主材が１枚の場合も２枚の場合も、１枚の床付き布枠には合計４個が取り付けられることになる。
【００１８】
図３は、従来技術に係る床付き布枠の一例であり、(a)は組立図、(b)は完成図を、それぞれ示す。
【００１９】
この床付き布枠には、２枚の主材が組み込まれている。床付き布枠の主材３０は、上面に長尺の床材部３１とその両側面に一体化されて形成される長尺の布材部３２ａ、３２ｂからなり、さらに、両側面の下面の内側には長尺のリップ３３が長尺の布材部３２ａ、３２ｂと一体化されて設けられている。
【００２０】
このような主材３０の２本が、少し間隔を開けて、水平方向に平行に配設され、２本の主材３０の床材部３１の両端部に断面コの字形の梁材４０が嵌合して取り付けられ、溶接等で接合される。すなわち、断面コの字形の梁材４０は、上側フランジ４１と下側フランジ４２と、両フランジを連結するウエブ４３から構成されており、２本の主材３０の床材部３１の両端部は、上側フランジ４１と下側フランジ４２の間に嵌め込まれることになる。
【００２１】
また、外側に位置する２つの布材部３２ａの両端近傍には、掴み金具５０をリベット等で固定するための穴３４が、各々２個穿たれている。そして、外側に位置する布材部３２ａの両端部の内側には、断面コの字形の梁材４０の両端部との隙間に、掴み金具５０が挿入され、リベット３５で固定される。
【００２２】
図４は、図３に示す従来技術に係る床付き布枠の端部の拡大図であり、(a)は正面図、(b)は平面図、そして、(c)はＡ−Ａ面における断面図（側面図）を、それぞれ示す。
【００２３】
この床付き布枠の主材は、その剛性を高めるために、床材部３１の中央付近と両縁部近傍に、長尺方向に溝３６が成型され、そして、布材部３２ａ、３２ｂと一体化されて設けられているリップ３３の縁部は内側に屈曲した形に成型され、屈曲部３７を形成している。
【００２４】
上述したとおり、２本の主材は、少し間隔を開けて、水平方向に平行に配設され、その両端部に断面コの字形の梁材４０が嵌合され、そして、主材の床材部３１の上面の端部と梁材の上側フランジ４１の間、及び、主材のリップ３３の下面の端部と梁材の下側フランジ４２の間が、それぞれ、溶接Ｗ１及びＷ２によって接合される。溶接Ｗ１及びＷ２は、線溶接でもよいし、間隔を開けた点溶接でもよい。次いで、外側に位置する布材部３２ａの両端部の内側には、断面コの字形の梁材４０の両端部との隙間に掴み金具５０が挿入され、外側に位置する布材部３２ａのリベット穴３４と掴み金具のリベット穴５１とが位置合わせされた後、リベット３５で掴み金具５０が固定される。さらに、外側に位置する布材部３２ａの端部と掴み金具５０の外側面の間が、溶接Ｗ４によって接合される。溶接Ｗ４は、線溶接でもよいし、間隔を開けた点溶接でもよい。
【００２５】
なお、掴み金具５０は湾曲部を有しており、足場を構成する建枠の横桟又は腕木材の上にその湾曲部の内側を引っかけることで、床付き布枠を隣接する建枠の横桟又は腕木材の間に取り付けるためのものである。ここでは、掴み金具５０は外れ止め５２を有しており、外れ止め５２を建枠の横桟又は腕木材の下側に突出させることによって掴み金具５０が誤って建枠の横桟又は腕木材から外れないようにすることができる。
【００２６】
次に、このようにして形成された床付き布枠は、前述したとおり、枠組足場の作業床および通路として使用されるのであるが、建枠式足場の場合には隣接する横桟３の間に、そして、緊結式足場の場合には、隣接する腕木材２１の間に架け渡される。このとき、枠組足場の作業床および通路の幅、即ち、建枠の横桟の長さ又は腕木材の長さに応じて、床付き布枠を１枚又は２枚以上並べて架け渡すことによって、作業床又は通路が形成される。
【００２７】
なお、床付き布枠の幅は通常、２４０ｍｍ幅と５００ｍｍ幅の２種類が用いられ、それぞれ、小アンチ（小布板ともいう。）及び大アンチ（大布板ともいう。）と呼称される。
【００２８】
図５に、従来技術に係る床付き布枠の２例を示す。(a)が小アンチ２５であり、(b)が大アンチ２６である。いずれも平面図である。(a)の小アンチ２５は２４０ｍｍ幅の主材３０の１枚のみで２４０ｍｍ幅の床付き布枠としたものであり、(b)の大アンチ２６は２４０ｍｍ幅の主材３０を２枚並べて合わせて５００ｍｍ幅の床付き布枠としたものであることが示されている。なお、これらの例では、床付き布枠上を歩行する際に作業員が滑るのを防止するために、床材部３１の上面にはエンボス加工７１が施されている。また、主材３０が幅方向に撓るのを防止するため、主材３０の中央部の下側に桟木７０が設けられている。
【００２９】
そして、建枠の横桟の長さと腕木材の長さは、インチサイズとメーターサイズがあるが、インチサイズを例として挙げると、通常、６１０ｍｍ、９１４ｍｍ及び１２１９ｍｍの３種類のものが揃えられている。
【００３０】
したがって、通常、床付き布枠を枠組足場の作業床および通路として設置する場合、６１０ｍｍ幅を形成するには大アンチ（５００ｍｍ幅）を１枚用いて架け渡すことになり、９１４ｍｍ幅を形成するには大アンチ（５００ｍｍ幅）１枚と小アンチ（２４０ｍｍ幅）１枚を並べて架け渡すことになり、そして、１２１９ｍｍ幅を形成するには大アンチ（５００ｍｍ幅）を２枚並べて架け渡すことになる。
【００３１】
図６に、従来技術に係る床付き布枠１１を隣接する建枠の横桟３の間に架け渡して作業床および通路として設置したときの３例を示す。 (a)が６１０ｍｍ幅の設置例、(b)が９１４ｍｍ幅の設置例、そして、(c)が１２１９ｍｍ幅の設置例である。いずれも、床付き布枠１１を隣接する建枠の横桟３の間に架け渡して設置したときの横桟３の近傍の拡大図（平面図）である。(a)の６１０ｍｍ幅は大アンチ２６（５００ｍｍ幅）１枚から、(b)の９１４ｍｍ幅は大アンチ２６（５００ｍｍ幅）１枚と小アンチ２５（２４０ｍｍ幅）１枚から、そして、(c)の１２１９ｍｍ幅は大アンチ２６（５００ｍｍ幅）２枚から、それぞれ、形成されていることが示されている。なお、これらの例では、床付き布枠上を歩行する際に作業員が滑るのを防止するために、床材部の上面にはエンボス加工７１が施されている。
【００３２】
次に、枠組足場においては、作業員が枠組み足場を組立若しくは解体する作業をするために又は枠組み足場内を移動するために、階段を枠組足場に組み込む必要がある。この場合、下段の足場における床付き布枠の１枚又は２枚と上段の足場における床付き布枠の１枚又は２枚を取り外して、上下の足場の床付き布枠のそれぞれ１枚又は２枚を両端部に掴み金具が取り付けられた階段部材に置き換えることによって、枠組足場に階段を組み入れることができる。階段部材を枠組足場に組み込んでなる枠組足場は、たとえば特許文献１に開示されている。
【００３３】
図７に、従来技術に係る枠組足場に階段部材７５を組み込んだときの２例（平面図）を示す。この場合、階段部材は(a)及び(b)に示すとおり、道路側と建物側のいずれにも組み込むことができる。ここでは、作業床および通路の幅は９１４ｍｍ幅であり、したがって、床付き布枠１１は、大アンチ２６（５００ｍｍ幅）と小アンチ２５（２４０ｍｍ幅）の各１枚が水平方向に平行に並べられて、隣接する建枠の横桟３の間に架け渡されている。
【００３４】
しかしながら、床付き布枠の両端部の掴み金具を建枠の横桟又は腕木材に取り付けることによって、隣接する建枠の横桟又は腕木材の間に床付き布枠を架け渡すと、床付き布枠の両側及び両端には隙間が生じることになる。このような隙間があると、作業員が枠組み足場を組立若しくは解体する作業中に又は枠組み足場内を移動中に枠組み足場の隙間から転落したり、枠組み足場の隙間から工具や建築資材等が落下したりするおそれがある。
【００３５】
このため、床付き布枠の両側の隙間については、通常、床付き布枠の道路側には、あるいはさらに建物側に、巾木（図示せず）を設置することによって、その隙間を塞ぐことがなされている。
【００３６】
次に、床付き布枠の両端の隙間について説明する。床付き布枠の両端の隙間は、建枠の横桟又は腕木材を介して隣接する床付き布枠の間に形成される。
【００３７】
図８は、隣接する建枠の横桟３に従来技術に係る床付き布枠１１を架け渡す際に床付き布枠の両端に生じる隙間７２を示す一例（平面図）である。ここでは、床付き布枠の梁材４０と横桟３との間に２５ｍｍの隙間７２が生じている。したがって、枠組み足場の隙間から工具や建築資材等が落下するおそれがある。
【００３８】
このため、床付き布枠の両端の隙間を少なくしたり、なくしたりすることが、種々に提案されている。特許文献２には、掴み金具は主材の布材部の両端に取り付けられたままであるが、床付き布枠の両端部に設けられる梁材の上側フランジを外側に延長させた形状とすることによって、この隙間を少なくする手法が開示されている。また、特許文献３及び４には、床付き布枠の両端部に設けられる梁材の全体を外側に延長させるとともにその外面を凹凸形状の切欠き部又は凹部を設け、梁材に掴み金具の機能を持たせることによって主材の布材部の両端に取り付けられる掴み金具は外すとともに、建枠の横桟又は腕木材を介して隣接する床付き布枠の端部に設けられた梁材の外面の凹凸形状の切欠き部又は凹部と嵌合させることで、この隙間をなくす手法が開示されている。いずれも、床付き布枠の端面を延長することによって、床付き布枠の両端の隙間を少なくしたり、なくしたりするものである。
【００３９】
図９に、特許文献２に示された床付き布枠の一例（平面図）を示す。床付き布枠１１の両端部の梁材４０の上側フランジを主材の長手方向の外側に延長する形で突出させて突出部４４が形成され、そして、掴み金具５０は主材の布材部３２ａ、３２ｂの両端に取り付けられている。掴み金具５０は建枠の横桟３又は腕木材２１を確実に掴んでいるので、床付き布枠１１は隣接する建枠の横桟３又は腕木材２１の間に架設することができる上に、床付き布枠の両端の隙間７２はほとんどなくなっている。
【００４０】
【特許文献１】特開平１１−３６５７２号公報
【特許文献２】特開２００１−３１１３０４号公報
【特許文献３】特開２００５−６８９３４号公報
【特許文献４】特開平９−１３６６０号公報
【発明の開示】
【発明が解決しようとする課題】
【００４１】
上述したように、床付き布枠の両側の隙間については、通常、床付き布枠の道路側に、あるいはさらに建物側に、巾木（図示せず）を設置することによって、その隙間を塞ぐことができる。
【００４２】
そして、床付き布枠の両端の隙間については、床付き布枠の両端部の端面を延長することによって、建枠の横桟又は腕木材との間の隙間を少なくしたり、なくしたりすることが、上記の特許文献２〜４において開示されている。
【００４３】
ところで、階段を枠組足場に組み込む場合には、下段の足場における床付き布枠の１枚又は２枚と上段の足場における床付き布枠の１枚又は２枚を取り外して、上下の足場の床付き布枠のそれぞれの１枚又は２枚を両端部に掴み金具が取り付けられた階段部材に置き換えることになる。しかしながら、上記の特許文献２〜４において開示されている、両端部の端面を延長してなる床付き布枠を用いた場合には、階段部材に取り付けられた掴み金具が建枠の横桟又は腕木材を掴むことができない事態が発生する。
【００４４】
図１０は、特許文献２に示された床付き布枠を隣接する建枠の横桟の間に架け渡したところに階段部材を設置する２例の部分平面図である。特許文献２に示された床付き布枠１１の両端部の梁材の上側フランジを延長して突出部４４を有してなる床付き布枠の大アンチ２６（５００ｍｍ幅）と小アンチ２５（２４０ｍｍ幅）の各１枚が水平方向に平行に並べられて、隣接する建枠の横桟３の間に架け渡されたところに階段部材７５が設置される。ここで、階段部材７５は(a)の場合には取り付けることができるが、(b)の場合には階段部材７５の掴み金具５０が床付き布枠の梁材の延長された上側フランジの突出部４４にぶつかるから、階段部材７５を取り付けることができない。すなわち、階段を道路側又は建物側のいずれかにしか組み込むことができない。
【００４５】
図１１は、特許文献２に示された床付き布枠を隣接する建枠の横桟の間に架け渡したところに階段部材を設置する他の２例の部分平面図である。特許文献２に示された床付き布枠１１の両端部の梁材の上側フランジを延長して突出部４４を有してなる床付き布枠の大アンチ２６（５００ｍｍ幅）の２枚が水平方向に平行に並べられて、隣接する建枠の横桟３の間に架け渡されたところに階段部材７５が設置される。ここで、階段部材７５は(a)の場合には取り付けることができるが、(b)の場合には階段部材７５の掴み金具５０が床付き布枠の梁材の延長された上側フランジの突出部４４にぶつかるから、階段部材７５を取り付けることができない。すなわち、階段を道路側又は建物側のいずれにも組み込むことができるが、中央部に組み込むことができない。
【００４６】
また、特許文献３及び４に示された、両端部に設けられる梁材の全体を外側に延長させるとともにその外面を凹凸形状の切欠き部又は凹部を設けてなる床付き布枠も同様の問題がある。
【００４７】
本発明は、このような問題を解決するためになされたものであって、床付き布枠の両端の隙間を少なくできるとともに、床付き布枠に隣接して階段部材を組み入れるときに階段部材に取り付けられた掴み金具が建枠の横桟又は腕木材を確実に掴むことができ、もって、階段をどの場所にも組み込むことが可能な床付き布枠及びこの床付き布枠を組み込んでなる枠組足場を提供することを目的とする。
【課題を解決するための手段】
【００４８】
本発明者らは、上記目的を解決するために、種々の検討を重ねた結果、次の(a)〜(h)の知見を得た。
【００４９】
(a) 床付き布枠の両端の隙間を少なくするには、床付き布枠の長さを長くするか、又は両端部に取り付けられた断面がコの字形状の梁材の上側及び下側フランジの幅を広くすることによって、端面を延長し、もって床付き布枠の端面と建枠の横桟又は腕木材との間の隙間を少なくすればよい。床付き布枠の端面の厚みはそのままにして、隙間を５〜１０ｍｍ程度にするだけでも、工具や建築資材等が落下するおそれは小さくなる。
【００５０】
(b) 建枠の横桟又は腕木材が円管形状であることを考慮すると、床付き布枠の端面の全厚に渡って端面を延長するのではなく、床付き布枠の端面の上面部を突出させるだけでも、隙間を少なくすることができる。そして、その上面部を突出させるためには、床付き布枠を構成する主材の長手方向の両端に取り付けられる梁材の形状を工夫すればよい。従来の梁材は、水平面の上側フランジと下側フランジと垂直面のウェブから形成されかつその断面コの字形状であるが、これを水平面の上側フランジを梁材の幅方向の外側に延長する形で突出させることによって形成される倒立ｈ形状であるとすればよい。あるいは、水平面の上側フランジを梁材の幅方向の外側に延長しかつ垂直面のウェブの全部又は一部を外側に傾斜させることによって形成される倒立台形状又は変形台形状としてもよい。
【００５１】
(c) 床付き布枠の両端部の端面を延長してその上面部を突出させる代わりに、梁材の幅方向の外側に梁材と平行に突出部材を接合してもよい。この場合、梁材の断面形状は、従来どおりコの字形状であってもよいが、倒立Ｈ形状であってもよい。そして、突出部材は平板であってもよいし、断面が倒立Ｌ型形状又は倒立山形若しくは三角形状のものであってもよい。接合は、線溶接や点溶接等で溶接することによって行うことができるし、ボルトナットやリベット等で固定することによって行うこともできる。必要に応じて、リブ等で補強をすることもできる。
【００５２】
(d) 床付き布枠を建枠の横桟又は腕木材の間に架け渡すための掴み金具は、特許文献２に開示されたように、主材の両端部の四隅に固定されるのが好ましい。階段部材を枠組足場に組み込む際には、上下の足場の床付き布枠のそれぞれ１枚又は２枚を階段部材に置き換えることになるが、階段部材の掴み金具は階段側面の長尺部材に取り付けられるから、階段部材の掴み金具は階段部材の両端部の四隅に固定されることになる。したがって、床付き布枠の掴み金具の位置と階段部材の掴み金具の位置が合致すれば、両者の掴み金具の位置の互換性を確保することができる。これに対して、特許文献３及び４に開示されたように、主材の布材部の両端に掴み金具を取り付ける代わりに梁材に掴み金具の機能を持たせた場合には、階段部材の掴み金具の位置との互換性を確保することができない。
【００５３】
床付き布枠の掴み金具の位置と階段部材の掴み金具の位置の互換性について、５００ｍｍの幅の階段部材を例にとって検討すると、この階段部材の幅は小アンチ（２４０ｍｍ幅）２枚分又は大アンチ（５００ｍｍ幅）１枚分に相当する。
【００５４】
したがって、掴み金具を主材の両端部の四隅に固定してなる小アンチとの掴み金具の位置との互換性は必ず備わっているので、小アンチのみに隣接して５００ｍｍの幅の階段部材を組み入れるときには、小アンチがその両端の隙間を少なくしたものであったとしても、階段部材に取り付けられた掴み金具は建枠の横桟又は腕木材を確実に掴むことができる。
【００５５】
しかしながら、掴み金具を主材の両端部の四隅に固定してなる大アンチに隣接する場合には、大アンチがその両端の隙間を少なくしたものであったときには、掴み金具の位置との互換性は必ずしも備わっていない。図１０にみるごとく、大アンチ２６と小アンチ２５の各１枚が水平方向に平行に並べられて、隣接する建枠の横桟３の間に架け渡されたところに階段部材７５を設置する例では、階段を道路側又は建物側のいずれかにしか組み込むことができない。また、図１１にみるごとく、大アンチ２６の２枚が水平方向に平行に並べられて、隣接する建枠の横桟３の間に架け渡されたところに階段部材７５を設置する例では、階段を道路側又は建物側のいずれにも組み込むことができるが、中央部に組み込むことができない。
【００５６】
この問題を解決して、その両端の隙間を少なくした大アンチに隣接する場合であっても、掴み金具の位置との互換性を必ず確保するためには、階段部材の掴み金具が、既に隣接して設置された大アンチの延長された端面にぶつからないようにすればよい。そのためには、階段部材の掴み金具が建枠の横桟又は腕木材を掴むであろう場所の近傍にのみ、床付き布枠の端面に隙間を作ればよい。すなわち、梁材の断面形状にかかわらず、梁材の幅方向の外側の中央部に切欠き部又は凹部を設ければよい。梁材の幅方向の外側に梁材と平行に突出部材を接合した場合には、その突出部材の幅方向の外側の中央部に切欠き部又は凹部を設ければよい。このようにすれば、階段部材の掴み金具は建枠の横桟又は腕木材を確実に掴むことができる。
【００５７】
(e) このような床付き布枠を用いれば、建枠の横桟又は腕木材の間に架け渡したときに床付き布枠の両端の隙間を少なくできるとともに、床付き布枠に隣接して階段部材を組み入れるときに階段部材に取り付けられた掴み金具が建枠の横桟又は腕木材を確実に掴むことができ、もって、階段をどの場所にも組み込むことが可能となる。
【００５８】
(f) このような床付き布枠の両端の隙間を少なくしてなる床付き布枠は、長尺の主材の１枚を配設することで形成してもよいし、長尺の主材の２枚を水平方向に平行に配設することで形成してもよい。ただし、梁材又は突起部材の幅方向の外側の中央部に切欠き部又は凹部を設けることは、長尺の主材の２枚を水平方向に平行に配設することで形成した床付き布枠にのみ適用することでよい。
【００５９】
(g) 床付き布枠を建枠の横桟又は腕木材の間に架設して枠組足場を形成する際には、床付き布枠の１枚を架設してもよいし、床付き布枠の２枚以上を水平方向に平行に架設してもよい。また、床付き布枠の２枚以上を水平方向に平行に架設する場合には、同じ幅の床付き布枠を用いてもよいし、異なる幅の床付き布枠を組み合わせて用いてもよい。
【００６０】
(h) なお、床付き布枠の長尺の主材の中央部の下側に桟木を設けると、主材が幅方向に撓るのを防止することができる。また、床材部の上面にエンボス加工を施すと、床付き布枠上を歩行する際に作業員が滑るのを防止することができる。
【００６１】
本発明は、このような知見に基づいて完成したものであって、次の(1)〜(11)の床付き布枠及び(12)〜(15)の枠組足場を要旨とする。以下、(1)〜(15)を総称して、本発明ということもある。
【００６２】
(1) 水平方向に平行に配設された２枚の長尺の主材と、その両端部に取り付けられる２枚の梁材と、その両端部の四隅に固定される４個の掴み金具からなる床付き布枠であって、上側フランジと下側フランジとウェブから形成される梁材の幅方向の外側の中央部に切欠き部又は凹部を設けてなることを特徴とする床付き布枠。
【００６３】
(2) 梁材は、水平面の上側フランジと下側フランジと垂直面のウェブから形成されかつその断面がコの字形状であることを特徴とする、上記(1)の床付き布枠。
【００６４】
(3) 梁材の断面は、水平面の上側フランジを梁材の幅方向の外側に延長する形で突出させることによって形成される倒立ｈ形状であることを特徴とする、上記(1)の床付き布枠。
【００６５】
(4) 梁材の断面は、水平面の上側フランジを梁材の幅方向の外側に延長しかつ垂直面のウェブの全部又は一部を外側に傾斜させることによって形成される倒立台形状又は変形台形状であることを特徴とする、上記(1)の床付き布枠。
【００６６】
(5) 水平方向に平行に配設された２枚の長尺の主材と、その両端部に取り付けられる２枚の梁材と、その両端部の四隅に固定される４個の掴み金具からなる床付き布枠であって、上側フランジと下側フランジとウェブから形成される梁材の幅方向の外側に、梁材と平行に突出部材を接合するとともに、突出部材の幅方向の外側の中央部に切欠き部又は凹部を設けてなることを特徴とする床付き布枠。
【００６７】
(6) 突出部材は平板であることを特徴とする、上記(5)の床付き布枠。
【００６８】
(7) 突出部材は、断面が倒立Ｌ型形状であることを特徴とする、上記(5)の床付き布枠。
【００６９】
(8)突出部材は、断面が倒立山形又は三角形状であることを特徴とする、上記(5)の床付き布枠。
【００７０】
(9) 長尺の主材の中央部の下側に桟木が設けられていることを特徴とする、上記(1)〜(8)のいずれかの床付き布枠。
【００７１】
(10)上記(1)〜(9)のいずれかの床付き布枠が組み込まれていることを特徴とする枠組足場。
【００７２】
(11) 上記(1)〜(9)のいずれかの床付き布枠の２枚以上が水平方向に平行に架設されていることを特徴とする枠組足場。
【００７３】
(12) １枚の長尺の主材と、その両端部に取り付けられる２枚の梁材と、その両端部の四隅に固定される４個の掴み金具からなる床付き布枠の１枚以上と、請求項１から９までのいずれかに記載の床付き布枠の１枚以上とが、水平方向に平行に架設されていることを特徴とする枠組足場。
【００７４】
(13) 上記(10)〜(12)のいずれかの枠組足場であって、階段部材が組み込まれていることを特徴とする枠組足場。
【発明の効果】
【００７５】
本発明によれば、床付き布枠の両端の隙間を少なくできるとともに、床付き布枠に隣接して階段部材を組み入れるときに階段部材に取り付けられた掴み金具が建枠の横桟又は腕木材を確実に掴むことができ、もって、階段をどの場所にも組み込むことが可能な床付き布枠及びこの床付き布枠を組み込んでなる枠組足場を提供することができる。
【発明を実施するための最良の形態】
【００７６】
本発明に係る床付き布枠及びこの床付き布枠を組み込んでなる枠組足場を、以下に、図面を用いて説明する。なお、本発明は次の実施例に限定されるものではない。
【実施例１】
【００７７】
図１２は、本発明に係る床付き布枠の一例の端部を示したものであり、(a)は平面図、(b)は(a)のＡ−Ａ矢視方向の拡大側面図（断面図）である。
【００７８】
この床付き布枠は、長尺の主材３０の２枚を水平方向に平行に２枚配設し、床材部３１の端面に上側フランジ４１と下側フランジ４２とウェブ４３から形成される梁材４０が嵌合されて取り付けられたものであり、大アンチ（５００ｍｍ幅）の類である。ただし、梁材４０のうち、水平面の上側フランジ４１は、梁材の幅方向の外側に延長する形で突出させることによって、梁材４０は図１２(b)に見るごとく、断面が倒立ｈ形状を有している。さらに、梁材の上部フランジの突出部４４には、その中央部に切欠き部４５が設けられている。そして、掴み金具５０は主材の布材部３２ａ、３２ｂの両端に取り付けられている。ここでは、床材部３１の上面にはエンボス加工が施されていて、床付き布枠上を歩行する際に作業員が滑るのを防止しているが、その必要がない場合にはエンボス加工を施さなくてもよい。なお、床材部３１が幅方向に撓るのを防止するため、床材部３１の長手方向の中央部の下側に桟木を設けてもよい。
【００７９】
図１３は、図１２に示される床付き布枠を、隣接する建枠２の横桟３の間に架け渡したときの床付き布枠の端部の状況を示す平面図である。
【００８０】
床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、梁材の上部フランジの突出部４４には、その中央部に切欠き部４５が設けられているため、その切欠き部４５の分だけ、隙間は広くなっているが、その幅は小さく、また、切欠き部４５の下部には横桟３が通っているため、この切欠き部の隙間から工具や建築資材等が落下するおそれは小さい。
【００８１】
図１４は、図１２に示される床付き布枠（大アンチ）を小アンチと組み合わせて、隣接する建枠の横桟の間に架け渡したところに階段部材を設置する２例の部分平面図である。図１２に示される床付き布枠１１（大アンチ２６）と小アンチ２５（２４０ｍｍ幅）の各１枚が水平方向に平行に並べられて、隣接する建枠の横桟３の間に架け渡されたところに階段部材７５が設置される。(a)の場合はもちろん、(b)の場合であっても階段部材７５を取り付けることが可能であることが分かる。これは、梁材の上部フランジの突出部４４には、その中央部に切欠き部４５が設けられているため、階段部材の掴み金具５０は隣接する床付き布枠の梁材にぶつかることはないので、(b)の場合であっても階段部材７５を取り付けることができるようになったためである。すなわち、図１２に示す床付き布枠を用いると、階段を道路側又は建物側のいずれにも組み込むことができる。図１０(b)と比較すれば、その違いがよく分かる。
【００８２】
図１５は、図１２に示される床付き布枠（大アンチ）の２枚を隣接する建枠の横桟の間に架け渡したところに階段部材を設置する２例の部分平面図である。図１２に示される床付き布枠１１（大アンチ２６）の２枚が水平方向に平行に並べられて、隣接する建枠の横桟３の間に架け渡されたところに階段部材７５が設置される。(a)の場合はもちろん、(b)の場合であっても階段部材７５を取り付けることが可能であることが分かる。これは、梁材の上部フランジの突出部４４には、その中央部に切欠き部４５が設けられているため、階段部材の掴み金具５０は隣接する床付き布枠の梁材にぶつかることはないので、(b)の場合であっても階段部材７５を取り付けることができるようになったためである。すなわち、図１２に示す床付き布枠を用いると、階段を道路側、中央部、建物側のいずれにも組み込むことができる。図１１(b)と比較すれば、その違いがよく分かる。
【実施例２】
【００８３】
図１６は、本発明に係る床付き布枠の他の例の端部を示したものであり、(a)は平面図、(b)は(a)のＡ−Ａ矢視方向の拡大側面図（断面図）である。
【００８４】
この床付き布枠は、長尺の主材３０の２枚を水平方向に平行に２枚配設し、床材部３１の端面に上側フランジ４１と下側フランジ４２とウェブ４３から形成される梁材４０が嵌合されて取り付けられたものであり、大アンチ（５００ｍｍ幅）の類である。ただし、梁材４０のうち、水平面の上側フランジ４１は梁材の幅方向の外側に延長し、垂直面のウェブ４３の全部を外側に傾斜させることによって、突出部４４が形成されているので、梁材４０は図１６(b)に見るごとく、断面が倒立台形状を有している。さらに、梁材の上部フランジの突出部４４には、その中央部に凹部４６が設けられている。そして、掴み金具５０は主材の布材部３２ａ、３２ｂの両端に取り付けられている。
【００８５】
この床付き布枠も、実施例１の図１３に示したのと同様に、床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、梁材の上部フランジの突出部４４には、その中央部に凹部４６が設けられているため、その凹部４６の分だけ、隙間は広くなっているが、その幅は小さく、また、凹部４６の下部には横桟３が通っているため、この凹部４６の隙間から工具や建築資材等が落下するおそれは小さい。
【００８６】
そして、この床付き布枠も、実施例１の図１４及び図１５に示したのと同様に、隣接する建枠の横桟３の間に架け渡されたときに、階段をどの場所にも組み込むことができる。
【実施例３】
【００８７】
図１７は、本発明に係る床付き布枠の他の例の端部を示したものであり、(a)は平面図、(b)は(a)のＡ−Ａ矢視方向の拡大側面図（断面図）である。
【００８８】
この床付き布枠は、実施例２の変形例である。長尺の主材３０の２枚を水平方向に平行に２枚配設し、床材部３１の端面に上側フランジ４１と下側フランジ４２とウェブ４３から形成される梁材４０が嵌合されて取り付けられたものであり、大アンチ（５００ｍｍ幅）の類である点と、掴み金具５０は主材の布材部３２ａ、３２ｂの両端に取り付けられている点は、実施例２と同じである。梁材４０のうち、水平面の上側フランジ４１は梁材の幅方向の外側に延長する形で突出させて突出部４４を形成しているまでは同じであるが、垂直面のウェブ４３の一部を外側に傾斜させている点が異なり、したがって、その梁材４０は図１７(b)に見るごとく、断面が倒立変形台形状を有している。さらに、梁材の上部フランジの突出部４４には、その中央部に凹部４６を設けている点は同じであるが、その凹部４６は開口部が広がっている点で異なっている。
【００８９】
この床付き布枠も、実施例１の図１３に示したのと同様に、床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、梁材の上部フランジの突出部４４には、その中央部に凹部４６が設けられているため、その凹部４６の分だけ、隙間は広くなっているが、その幅は小さく、また、凹部４６の下部には横桟３が通っているため、この凹部４６の隙間から工具や建築資材等が落下するおそれは小さい。
【００９０】
そして、この床付き布枠も、実施例１の図１４及び図１５に示したのと同様に、隣接する建枠の横桟３の間に架け渡されたときに、階段をどの場所にも組み込むことができる。
【実施例４】
【００９１】
図１８は、本発明に係る床付き布枠の他の例の端部を示したものであり、(a)は平面図、(b)は(a)のＡ−Ａ矢視方向の拡大側面図（断面図）である。
【００９２】
この床付き布枠は、大アンチ（５００ｍｍ幅）の類であり、長尺の主材３０の２枚を水平方向に平行に２枚配設し、床材部３１の端面に上側フランジ４１と下側フランジ４２とウェブ４３から形成される断面コの字形状の梁材４０が嵌合されて取り付けられた上に、さらに梁材４０の幅方向の外側に梁材と平行に、断面が倒立Ｌ形状の突出部材６０を線溶接Ｗ３により接合したものである。そして、突出部材６０には、その中央部に切欠き部６１が設けられている。そして、掴み金具５０は主材の布材部３２ａ、３２ｂの両端に取り付けられている。なお、ここでは、突出部材６０は梁材の外側に線溶接によって接合されているが、溶接に代えて、ボルトナットやリベット等で接合してもよい。
【００９３】
この床付き布枠も、実施例１の図１３に示したのと同様に、床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、突出部材６０にはその中央部に切欠き部６１が設けられているため、その切欠き部６１の分だけ、隙間は広くなっているが、その幅は小さく、また、切欠き部６１の下部には横桟３が通っているため、この切欠き部６１の隙間から工具や建築資材等が落下するおそれは小さい。
【００９４】
そして、この床付き布枠も、実施例１の図１４及び図１５に示したのと同様に、隣接する建枠の横桟３の間に架け渡されたときに、階段をどの場所にも組み込むことができる。
【実施例５】
【００９５】
図１９は、本発明に係る床付き布枠の他の例の端部を示したものであり、(a)は平面図、(b)は(a)のＡ−Ａ矢視方向の拡大側面図（断面図）である。
【００９６】
この床付き布枠は、実施例４の変形例である。長尺の主材３０の２枚を水平方向に平行に２枚配設し、床材部３１の端面に上側フランジ４１と下側フランジ４２とウェブ４３から形成される断面コの字形状の梁材４０が嵌合されて取り付けられた上に、さらに梁材４０の幅方向の外側に梁材と平行に、断面が倒立Ｌ形状の突出部材６０を線溶接Ｗ３により接合したものであり、大アンチ（５００ｍｍ幅）の類である点と、掴み金具５０は主材の布材部３２ａ、３２ｂの両端に取り付けられている点は、実施例４と同じである。異なる点は、梁材４０の外側に梁材と平行に接合する断面が倒立Ｌ形状の突出部材６０を２部材に分割し、２部材の間の間隔をあけることで、実質的に切り欠き部６１を形成する点である。なお、ここでは、突出部材６０は梁材の外側に線溶接によって接合されているが、溶接に代えて、ボルトナットやリベット等で接合してもよい。
【００９７】
この床付き布枠も、実施例１の図１３に示したのと同様に、床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、２つの突出部材６０の間には実質的に切欠き部６１が設けられているため、その分だけ、隙間は広くなっているが、その幅は小さく、また、その下部には横桟３が通っているため、この隙間から工具や建築資材等が落下するおそれは小さい。
【００９８】
そして、この床付き布枠も、実施例１の図１４及び図１５に示したのと同様に、隣接する建枠の横桟３の間に架け渡されたときに、階段をどの場所にも組み込むことができる。
【実施例６】
【００９９】
図２０は、本発明に係る床付き布枠の他の例の端部を示したものであり、(a)は平面図、(b)は(a)のＡ−Ａ矢視方向の拡大側面図（断面図）である。
【０１００】
この床付き布枠は、大アンチ（５００ｍｍ幅）の類であり、長尺の主材３０の２枚を水平方向に平行に２枚配設し、床材部３１の端面に上側フランジ４１と下側フランジ４２とウェブ４３から形成される断面コの字形状の梁材４０が嵌合されて取り付けられた上に、さらに梁材４０の幅方向の外側に梁材と平行に、断面が三角形状の突出部材６０を線溶接Ｗ３により接合したものである。そして、突出部材６０には、その中央部に凹部６２が設けられている。そして、掴み金具５０は主材の布材部３２ａ、３２ｂの両端に取り付けられている。なお、ここでは、突出部材６０は梁材の外側に線溶接によって接合されているが、溶接に代えて、ボルトナットやリベット等で接合してもよい。
【０１０１】
この床付き布枠も、実施例１の図１３に示したのと同様に、床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、突出部材６０にはその中央部に凹部６２が設けられているため、その凹部６２の分だけ、隙間は広くなっているが、その幅は小さく、また、凹部６２の下部には横桟３が通っているため、この凹部６２の隙間から工具や建築資材等が落下するおそれは小さい。
【０１０２】
そして、この床付き布枠も、実施例１の図１４及び図１５に示したのと同様に、隣接する建枠の横桟３の間に架け渡されたときに、階段をどの場所にも組み込むことができる。
【実施例７】
【０１０３】
図２１は、本発明に係る床付き布枠の他の例の端部を示したものであり、(a)は平面図、(b)は(a)のＡ−Ａ矢視方向の拡大側面図（断面図）である。
【０１０４】
この床付き布枠は、実施例６の変形例である。長尺の主材３０の２枚を水平方向に平行に２枚配設し、床材部３１の端面に上側フランジ４１と下側フランジ４２とウェブ４３から形成される断面コの字形状の梁材４０が嵌合されて取り付けられた上に、さらに梁材４０の幅方向の外側に梁材と平行に、突出部材６０を線溶接Ｗ３により接合し、突出部材６０にはその中央部に凹部６２が設けられたものであり、大アンチ（５００ｍｍ幅）の類である点と、掴み金具５０は主材の布材部３２ａ、３２ｂの両端に取り付けられている点は、実施例６と同じである。異なる点は、突出部材として山形鋼を倒立させて用いている点である。ただし、山形鋼を用いても突出部材の断面は図２１(b)に見るごとく、三角形状となっている。なお、ここでは、突出部材６０は梁材の外側に線溶接によって接合されているが、溶接に代えて、ボルトナットやリベット等で接合してもよい。
【０１０５】
この床付き布枠も、実施例１の図１３に示したのと同様に、床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、突出部材６０にはその中央部に凹部６２が設けられているため、その凹部６２の分だけ、隙間は広くなっているが、その幅は小さく、また、凹部６２の下部には横桟３が通っているため、この凹部６２の隙間から工具や建築資材等が落下するおそれは小さい。
【０１０６】
そして、この床付き布枠も、実施例１の図１４及び図１５に示したのと同様に、隣接する建枠の横桟３の間に架け渡されたときに、階段をどの場所にも組み込むことができる。
【実施例８】
【０１０７】
図２２は、本発明に係る床付き布枠の他の例の端部を示したものであり、(a)は平面図、(b６１)は(a)のＡ−Ａ矢視方向の拡大側面図（断面図）である。
【０１０８】
この床付き布枠は、大アンチ（５００ｍｍ幅）の類である。長尺の主材３０の２枚を水平方向に平行に２枚配設し、床材部３１の端面に、水平面の上側フランジ４１と水平面の下側フランジ４２と垂直面のウェブ４３から形成される梁材４０が嵌合されて取り付けられたものであり、梁材の断面はコの字形状である。ただし、端面を通常の床付き布枠よりも延長されており、床付き布枠の端面と建枠の横桟又は腕木材との間の隙間は少なくなっている。さらに、梁材の幅方向の外側の中央部には凹部４６が設けられている。そして、掴み金具５０は主材の布材部３２ａ、３２ｂの両端に取り付けられている。
【０１０９】
この床付き布枠も、実施例１の図１３に示したのと同様に、床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、梁材の上部フランジの突出部４４には、その中央部に凹部４６が設けられているため、その凹部４６の分だけ、隙間は広くなっているが、その幅は小さいので、この凹部４６の隙間から工具や建築資材等が落下するおそれは小さい。
【０１１０】
そして、この床付き布枠も、実施例１の図１４及び図１５に示したのと同様に、隣接する建枠の横桟３の間に架け渡されたときに、階段をどの場所にも組み込むことができる。
【実施例９】
【０１１１】
図２３は、本発明に係る床付き布枠の他の例の端部を示したものであり、(a)は平面図、(b)は(a)のＡ−Ａ矢視方向の拡大側面図（断面図）である。
【０１１２】
この床付き布枠は、大アンチ（５００ｍｍ幅）の類であり、長尺の主材３０の２枚を水平方向に平行に２枚配設し、床材部３１の端面に上側フランジ４１と下側フランジ４２とウェブ４３から形成される断面コの字形状の梁材４０が嵌合されて取り付けられた上に、さらに梁材４０の幅方向の外側に梁材と平行に、平板の突出部材６０を線溶接Ｗ３により接合するとともに、リブ６３により補強したものである。そして、突出部材６０には、その中央部に切欠き部６１が設けられている。そして、掴み金具５０は主材の布材部３２ａ、３２ｂの両端に取り付けられている。
【０１１３】
この床付き布枠も、実施例１の図１３に示したのと同様に、床付き布枠の掴み金具５０は建枠の横桟３を確実に掴むことができるので、床付き布枠１１は隣接する建枠の横桟３の間に架設することができる上に、床付き布枠の両端の隙間７２はほとんどなくなっている。ただし、突出部材６０にはその中央部に切欠き部６１が設けられているため、その切欠き部６１の分だけ、隙間は広くなっているが、その幅は小さく、また、切欠き部６１の下部には横桟３が通っているため、この切欠き部６１の隙間から工具や建築資材等が落下するおそれは小さい。
【０１１４】
そして、この床付き布枠も、実施例１の図１４及び図１５に示したのと同様に、隣接する建枠の横桟３の間に架け渡されたときに、階段をどの場所にも組み込むことができる。
【産業上の利用可能性】
【０１１５】
以上のとおり、本発明によれば、床付き布枠の両端の隙間を少なくできるとともに、床付き布枠に隣接して階段部材を組み入れるときに階段をどの場所にも組み込むことが可能な床付き布枠及びこの床付き布枠を組み込んでなる枠組足場を提供することができる。
【図面の簡単な説明】
【０１１６】
【図１】Ｈ枠を用いて建枠式の枠組足場を形成する一例である。
【図２】緊結式足場の構造の一例を示す。
【図３】従来技術に係る床付き布枠の一例である。
【図４】図３に示す従来技術に係る床付き布枠の端部の拡大図である。
【図５】従来技術に係る床付き布枠の２例を示す。
【図６】従来技術に係る床付き布枠を隣接する建枠の横桟の間に架け渡して作業床および通路として設置したときの３例を示す。
【図７】従来技術に係る枠組足場に階段部材を組み込んだときの２例を示す。
【図８】隣接する建枠の横桟に従来技術に係る床付き布枠を架け渡す際に床付き布枠の両端に生じる隙間を示す一例である。
【図９】特許文献２に示された床付き布枠の一例（平面図）を示す。
【図１０】特許文献２に示された床付き布枠を隣接する建枠の横桟の間に架け渡したところに階段部材を設置する２例の部分平面図である。
【図１１】特許文献２に示された床付き布枠を隣接する建枠の横桟の間に架け渡したところに階段部材を設置する他の２例の部分平面図である。
【図１２】本発明に係る床付き布枠の一例の端部を示したものであり、(a)は平面図、(b)は(a)のＡ−Ａ矢視方向の拡大側面図（断面図）である。
【図１３】図１２に示される床付き布枠を、隣接する建枠の横桟の間に架け渡したときの床付き布枠の端部の状況を示す平面図である。
【図１４】図１２に示される床付き布枠（大アンチ）を小アンチと組み合わせて、隣接する建枠の横桟の間に架け渡したところに階段部材を設置する２例の部分平面図である。
【図１５】図１２に示される床付き布枠（大アンチ）の２枚を隣接する建枠の横桟の間に架け渡したところに階段部材を設置する２例の部分平面図である。
【図１６】本発明に係る床付き布枠の他の例の端部を示したものであり、(a)は平面図、(b)は(a)のＡ−Ａ矢視方向の拡大側面図（断面図）である。
【図１７】本発明に係る床付き布枠の他の例の端部を示したものであり、(a)は平面図、(b)は(a)のＡ−Ａ矢視方向の拡大側面図（断面図）である。
【図１８】本発明に係る床付き布枠の他の例の端部を示したものであり、(a)は平面図、(b)は(a)のＡ−Ａ矢視方向の拡大側面図（断面図）である。
【図１９】本発明に係る床付き布枠の他の例の端部を示したものであり、(a)は平面図、(b)は(a)のＡ−Ａ矢視方向の拡大側面図（断面図）である。
【図２０】本発明に係る床付き布枠の他の例の端部を示したものであり、(a)は平面図、(b)は(a)のＡ−Ａ矢視方向の拡大側面図（断面図）である。
【図２１】本発明に係る床付き布枠の他の例の端部を示したものであり、(a)は平面図、(b)は(a)のＡ−Ａ矢視方向の拡大側面図（断面図）である。
【図２２】本発明に係る床付き布枠の他の例の端部を示したものであり、(a)は平面図、(b)は(a)のＡ−Ａ矢視方向の拡大側面図（断面図）である。
【図２３】本発明に係る床付き布枠の他の例の端部を示したものであり、(a)は平面図、(b)は(a)のＡ−Ａ矢視方向の拡大側面図（断面図）である。
【符号の説明】
【０１１７】
１  Ｈ枠
２  縦柱
３  横桟
６ａ、６ｂ  ロック金具
７ａ、７ｂ  ロック金具
１０  手摺枠
１１  床付き布枠
１３  筋違
１４  支柱
１５  作業用手摺
１６  支柱部材
１９  ブレース材
２０  コマ
２１  腕木材
２２  建物
２５  小アンチ
２６  大アンチ
３０  主材
３１  床材部
３２ａ、３２ｂ  布材部
３３  リップ
３４  布材部のリベット穴
３５  リベット
３６  床材部の溝
３７  リップの屈曲部
４０  梁材
４１  梁材の上側フランジ
４２  梁材の下側フランジ
４３  梁材のウェブ
４４  梁材の上側フランジの突出部
４５  梁材の突出部の切欠き部
４６  梁材の突出部の凹部
５０  掴み金具
５１  掴み金具のリベット穴
５２  掴み金具の外れ止め
５３  掴み金具の開口部
６０  突出部材
６１  突出部材の切欠き部
６２  突出部材の凹部
６３  リブ
７０  桟木
７１  エンボス加工
７２  隙間
７５  階段部材
Ｗ１、Ｗ２、Ｗ３、Ｗ４  溶接
【図１】
2008231804.tif 000003
【図２】
2008231804.tif 000004
【図３】
2008231804.tif 000005
【図４】
2008231804.tif 000006
【図５】
2008231804.tif 000007
【図６】
2008231804.tif 000008
【図７】
2008231804.tif 000009
【図８】
2008231804.tif 000010
【図９】
2008231804.tif 000011
【図１０】
2008231804.tif 000012
【図１１】
2008231804.tif 000013
【図１２】
2008231804.tif 000014
【図１３】
2008231804.tif 000015
【図１４】
2008231804.tif 000016
【図１５】
2008231804.tif 000017
【図１６】
2008231804.tif 000018
【図１７】
2008231804.tif 000019
【図１８】
2008231804.tif 000020
【図１９】
2008231804.tif 000021
【図２０】
2008231804.tif 000022
【図２１】
2008231804.tif 000023
【図２２】
2008231804.tif 000024
【図２３】
2008231804.tif 000025